(57)【特許請求の範囲】
【請求項１】
訪問者の映像を映す表示手段と；
上記表示手段のメニュー項目に応じて、スケジュールを、曜日情報または時刻情報とともに登録する登録手段と；
上記登録手段に登録されている上記スケジュールを、上記表示手段に表示させる制御手段と；
一般的なスケジュールを予め記憶するスケジュール記憶手段と；
上記登録手段にスケジュールを登録する際に、上記スケジュール記憶手段に記憶されている一般的なスケジュールを読み出し、上記表示手段に表示し、必要項目を選択する選択手段と；
を具備する住宅情報盤において、
上記制御手段は、上記登録手段によって登録されたスケジュールを、上記表示手段に常時表示させるとともに、訪問者が訪問したときには、訪問者の映像と同時に上記スケジュールを上記表示手段に表示させる手段であることを特徴とする住宅情報盤。
【請求項２】
請求項１において、
曜日と時刻とを計時するカレンダ時計手段と；
上記カレンダ時計手段に基づいて、上記登録されているスケジュールを実行する曜日または時刻になったときに、アラーム音を鳴らすアラーム手段と；
を有することを特徴とする住宅情報盤。
【請求項３】
請求項１において、
上記制御手段は、１週間の全ての曜日に対応する区画を、上記表示手段に同時に表示させ、また、各曜日に対応する区画の中に、上記スケジュールを表示するように、上記表示手段を制御する手段であることを特徴とする住宅情報盤。
【請求項４】
請求項１において、
上記制御手段は、上記制御手段は、スケジュールが登録されている曜日だけの区画を、上記表示手段に表示させる手段であることを特徴とする住宅情報盤。
【請求項５】
請求項１において、
上記制御手段は、通常時は表示手段に予定を表示せずに、現在から登録されている時刻までの時間が一定時間以内であるスケジュールのみを、上記表示手段に表示させる手段であることを特徴とする住宅情報盤。
【発明の詳細な説明】
【技術分野】
【０００１】
本発明は、住宅情報盤に関する。
【背景技術】
【０００２】
従来の集合住宅の各住戸には、それぞれ住宅情報盤が設けられている。この住宅情報盤は、集合住宅の集合玄関に設置されている集合玄関機と通話線等とを介して接続されている。
【０００３】
この住宅情報盤は、インターホン通話機能を備え、たとえば集合玄関機から呼び出しを受けたときに、集合玄関機との間で、インターホン通話を行うことができる。
【０００４】
また、住宅情報盤には、火災感知器等の防災センサが接続され、各種センサが動作したときに、警報する（たとえば、特許文献１）。
【特許文献１】特開平０５−０７３７８８号公報
【発明の開示】
【発明が解決しようとする課題】
【０００５】
ところで、集合住宅においては、地域毎に何曜日に何のゴミを捨てるかが定められているが、居住者によっては、何曜日にゴミ出しをするのかを忘れたり、または、ゴミ出しするゴミの種類を間違って、別の種類のゴミを出してしまう場合がある。
【０００６】
一方、従来の住宅情報盤では、インターホン通話以外は、日常あまり使用されることが無いので、居住者にとって利便性が高いものとは言えない。
【０００７】
本発明は、ゴミ捨て等のスケジュールを管理することができ、居住者にとって利便性が高い住宅情報盤を提供することを目的とする。
【課題を解決するための手段】
【０００８】
本発明は、訪問者の映像を映す表示手段と、上記表示手段のメニュー項目に応じて、スケジュールを、曜日情報または時刻情報とともに登録する登録手段と、上記登録手段に登録されている上記スケジュールを、上記表示手段に表示させる制御手段と、一般的なスケジュールを予め記憶するスケジュール記憶手段と、上記登録手段にスケジュールを登録する際に、上記スケジュール記憶手段に記憶されている一般的なスケジュールを読み出し、上記表示手段に表示し、必要項目を選択する選択手段とを具備する住宅情報盤において、上記制御手段は、上記登録手段によって登録されたスケジュールを、上記表示手段に常時表示させるとともに、訪問者が訪問したときには、訪問者の映像と同時に上記スケジュールを上記表示手段に表示させる手段である住宅情報盤である。
【発明の効果】
【０００９】
本発明によれば、住宅情報盤を使用して、ゴミ捨て等のスケジュールを管理することができ、居住者にとって、住宅情報盤の利便性が高いという効果を奏する。
【発明を実施するための最良の形態】
【００１０】
発明を実施するための最良の形態は、以下の実施例である。
【実施例１】
【００１１】
図１は、本発明の実施例１である住宅情報盤ＪＢを含むインターホンシステム１００の概要を示すブロック図である。
【００１２】
インターホンシステム１００は、住戸内に設けられている住宅情報盤ＪＢ１０１、…、ＪＢ３０３、…と、集合玄関に設けられている集合玄関機１０と、上記住宅情報盤と集合玄関機１０との間におけるインターホン通話を制御する制御装置２０と、管理人室親機３０とを有する。なお、管理人室親機３０は、管理室に設けられ、住宅情報盤ＪＢ１０１、…、３０３、…と基本的には同様な機能を有し、制御装置２０に接続されている。
【００１３】
これらの機器は、制御信号線Ｌｃと音声信号線Ｌａとを介して接続され、必要に応じて映像信号線にも接続される。
【００１４】
１０１号室の住戸用として、住宅情報盤ＪＢ１０１が設けられ、３０３号室の住戸用として、住宅情報盤ＪＢ３０３が設けられている。また、住宅情報盤ＪＢ１０１に、玄関子機Ｃ１０１が接続され、住宅情報盤ＪＢ３０３に、玄関子機Ｃ３０３が接続されている。
【００１５】
以後、住宅情報盤ＪＢ１０１、…、ＪＢ３０３、…の総称として、住宅情報盤ＪＢの表記を使用する。また、玄関子機Ｃ１０１、…、Ｃ３０３、…の総称として、玄関子機Ｃの表記を使用する。
【００１６】
図２は、本発明の実施例１である住宅情報盤ＪＢを示す斜視図である。
【００１７】
住宅情報盤ＪＢの表面には、操作手段ＯＰと、通話釦Ｂ７と、表示手段ＤＰと、注意灯ランプＬＡ１とが設けられている。
【００１８】
操作手段ＯＰには、メニュー釦Ｂ１と、上移動釦Ｂ２と、下移動釦Ｂ３と、決定釦Ｂ４と、火災釦Ｂ５と、復旧釦Ｂ６とが設けられている。
【００１９】
図３は、住宅情報盤ＪＢを示すブロック図である。
【００２０】
住宅情報盤ＪＢは、制御手段６０と、操作手段ＯＰと、カレンダ時計手段６１と、スケジュール記憶手段６２と、表示項目記憶手段６３と、登録手段６４と、アラーム手段６５と、表示手段ＤＰと、通話手段６６と、スイッチ６７と、送受信手段６８とを有する。
【００２１】
制御手段６０は、１週間の全ての曜日を、表示手段ＤＰに表示させ、また、各曜日に対応するマス目の中に、上記スケジュールを表示するように、表示手段ＤＰを制御する手段である。また、制御手段６０は、スケジュールが登録されている曜日だけのマス目を、表示手段ＤＰに表示させる手段である。さらに、制御手段６０は、通常時は表示手段ＤＰに予定を表示せずに、現在から登録された時刻までの時間が一定時間以内であるスケジュールのみを、表示手段ＤＰに表示させる手段である。
【００２２】
操作手段ＯＰは、登録手段６４にスケジュールを登録する際に、スケジュール記憶手段６２から必要項目を選択する選択手段である。カレンダ時計手段６１は、曜日と時刻とを計時する手段である。スケジュール記憶手段６２は、一般的なスケジュールを予め記憶する手段である。
【００２３】
図４は、住宅情報盤ＪＢに設けられている表示手段ＤＰにおける表示例を示す図である。
【００２４】
表示項目記憶手段６３は、図４（１）に示すメニューの内容、図４（２）に示すスケジュールの登録の内容、図４（３）に示す曜日毎の時間帯を記憶する手段である。
【００２５】
登録手段６４は、表示手段ＤＰのメニュー項目に応じて、スケジュールを、曜日情報または時刻情報とともに登録する登録手段である。制御手段６０は、登録手段６４に登録されているスケジュールを、表示手段ＤＰに表示させる手段である。
【００２６】
アラーム手段６５は、カレンダ時計手段６１に基づいて、上記登録されているスケジュールを実行する曜日または時刻になったと判断したら、アラーム音を鳴らす手段である。
【００２７】
表示手段ＤＰは、登録手段６４に登録されているスケジュールを表示する手段である。
【００２８】
通話手段６６は、外部スピーカ、外部マイクを介して、集合玄関機１０、管理人室親機３０と通話する手段である。
【００２９】
スイッチ６７は、玄関子機Ｃの釦が押された等、通話を必要とするときに、制御手段６０によってオンされ、通話手段６６を制御装置２０に接続するスイッチである。
【００３０】
次に、上記実施例の動作について説明する。
【００３１】
図４は、上記実施例における操作手順と表示内容とを対応させて示す図である。
【００３２】
まず、住戸において、居住者が住宅情報盤ＪＢの操作ボタンを操作して、表示手段ＤＰに、図４（１）に示すメニュー項目を表示し、このメニュー項目からスケジュール（予定や行事等）を選択し、選択されたメニュー項目を、登録手段６４に登録する。つまり、Ｓ２で、４（２）に示すように、曜日を選択し、Ｓ３で、図４（３）に示すように、時間帯を選択し、Ｓ４で、図４（４）に示すように、スケジュールにおける予定または用件の内容を選択し、これら選択されたスケジュールを、登録手段６４に登録する。
【００３３】
図５は、上記実施例において、月曜〜日曜の１週間の全ての曜日に対応するマス目（スケジュール欄ＳＣ１）を表示し、このマス目に、スケジュールを表示している例を示す図である。
【００３４】
Ｓ４で、スケジュールが登録手段６４に登録されると、住宅情報盤ＪＢの表示手段ＤＰには、スケジュールの内容が、図５に示すように、月曜〜日曜の１週間に亘って表示されている。このために、居住者は、短期のスケジュールを手軽に把握することができる。
【００３５】
また、アラーム手段６５を設ければ、スケジュールが登録された曜日または時刻になると、アラーム手段６５がアラーム音を鳴らす。このようにすれば、居住者が、スケジュールを確実に認識することができる。
【００３６】
図５に示す例では、表示手段ＤＰに１週間の各曜日に対応するマス目を常時表示し、スケジュールを入れた曜日に、その内容を表示させる。このときに、表示手段ＤＰの最下部に１週間の全ての曜日を表示するので、感覚的に週間のスケジュールを把握しやすい。また、訪問者を映すモニタを、表示手段ＤＰとして利用しても、訪問者の映像の邪魔にならない。
【００３７】
図６は、上記実施例において、スケジュールが登録されている曜日のみのスケジュールを表示する例を示す図である。
【００３８】
表示手段ＤＰに表示する曜日は、図６に示すように、スケジュールが登録された曜日だけを表示するようにしてもよい。この場合、表示手段ＤＰは、１週間のスケジュールの全てを表示する場合よりも、訪問者を表示するスペースを広くとることができる。
【００３９】
図６に示す例では、表示手段ＤＰの一部に、スケジュールが登録されている曜日とその内容とを表示させる。スケジュールが登録されている曜日のみをマス目（スケジュール欄ＳＣ２）で表示するので、見易い。
【００４０】
図７は、上記実施例において、スケジュールを登録した時刻または曜日の一定時間前になったときに、住宅情報盤ＪＢの表示手段ＤＰの一部に、そのスケジュールの内容をマス目（スケジュール欄ＳＣ３）で表示する例を示す図である。
【００４１】
表示手段ＤＰに、スケジュールを常に表示する必要はない。このようにすれば、表示手段ＤＰを広く利用することができる。たとえば、スケジュールを登録した時刻または曜日の一定時間前になると、登録手段６４に登録されているスケジュールの内容を図７に示すように、住宅情報盤ＪＢの表示手段ＤＰの一部であるスケジュール欄ＳＣ３に制御手段６０が表示する。なお、住宅情報盤ＪＢの表示手段ＤＰの全部に、そのスケジュールの内容を表示するようにしてもよい。
【００４２】
このようにすれば、スケジュールを表示する必要のない時間帯では、表示手段ＤＰをＯＦＦ状態にすることができるので、バックライトの点灯が不要であり、表示手段ＤＰの消費電力を抑えることができる。
【００４３】
ゴミ出しの日等のスケジュールは、スケジュール記憶手段６２から選択して登録するが、情報を入力できる入力部を操作手段ＯＰに設け、スケジュールを個別に入力し、この入力されたスケジュールを登録手段６４に登録するようにしてもよい。
【００４４】
また、登録手段６４へスケジュールを登録する場合、制御手段２０に接続された管理人室親機３０から、一斉に「水曜・可燃ゴミ」等の情報を送信し、住宅情報盤ＪＢで、その情報を受信したら、登録手段６４へ自動的に登録するようにしてもよい。
【００４５】
上記実施例では、曜日と時刻とを登録するが、曜日、時刻のいずれか一方だけを登録するようにしてもよい。
【００４６】
図７に示す例では、常時は表示せず、スケジュールを入力した時間前にアラーム音とともにその内容を表示手段ＤＰに表示させる。これによって、普段は、スケジュールが表示されないので、表示手段ＤＰを広く利用することができる。
【００４７】
上記実施例では、表示手段ＤＰとして、訪問者を映すモニタを使用しているが、このモニタとは別に、スケジュールを表示する専用の表示手段ＤＰを、住宅情報盤ＪＢに設けるようにしてもよい。
【００４８】
なお、上記スケジュール欄ＳＣ１、ＳＣ２、ＳＣ３をマス目で表示しているが、の代わりに、円、三角形、六角等、他の形状の区画を使用するようにしてもよい。
【００４９】
上記実施例によれば、来訪者が訪れると、表示手段に表示される来訪者を見るが、このときに、視野の中にスケジュール表示が入るので、スケジュールを表示させる手順を独自に実行しなくても、スケジュールを自動的に確認することができる。
【図面の簡単な説明】
【００５０】
【図１】本発明の実施例１である住宅情報盤ＪＢを含むインターホンシステム１００の概要を示すブロック図である。
【図２】本発明の実施例１である住宅情報盤ＪＢを示す斜視図である。
【図３】住宅情報盤ＪＢを示すブロック図である。
【図４】住宅情報盤ＪＢに設けられている表示手段ＤＰにおける表示例を示す図である。
【図５】上記実施例において、月曜〜日曜の１週間の全ての曜日に対応するマス目を表示し、このマス目に、スケジュールを表示している例を示す図である。
【図６】上記実施例において、スケジュールが登録されている曜日のみのスケジュールを表示する例を示す図である。
【図７】上記実施例において、スケジュールを登録した時刻または曜日の一定時間前になったときに、住宅情報盤ＪＢの表示手段ＤＰの一部に、そのスケジュールの内容を表示する例を示す図である。
【符号の説明】
【００５１】
１００…インターホンシステム、
ＪＢ…住宅情報盤、
Ｃ…玄関子機、
１０…集合玄関機、
２０…制御装置、
ＤＰ…表示手段、
ＯＰ…操作手段、
６０…制御手段、
６１…カレンダ時計手段、
６２…スケジュール記憶手段、
６５…アラーム手段、
６６…通話手段、
６７…スイッチ、
６８…送受信部、
ＳＣ１、ＳＣ２、ＳＣ３…スケジュール欄。
【図１】
0005137639.tif 000002
【図２】
0005137639.tif 000003
【図３】
0005137639.tif 000004
【図４】
0005137639.tif 000005
【図５】
0005137639.tif 000006
【図６】
0005137639.tif 000007
【図７】
0005137639.tif 000008